(57)【特許請求の範囲】
【請求項１】
複数の表示部を備え、
複数の報知項目に対応した被写体の状態を検知する検知手段と、
前記検知手段による検知結果に基づいて、前記被写体に対し、前記複数の報知項目の各々に割り当てられた複数の表示部を独立して同時に表示制御して報知を行う報知手段と、
複数の撮影条件の組と複数の報知項目の組とを対応付けて記憶する記憶手段と、
前記複数の撮影条件の組の中から一の組を設定することで、前記撮影条件の組に対応付けて記憶されている前記報知項目の組を、前記記憶手段から読み出して任意に設定する設定手段と、
前記設定手段により設定された報知項目に対応する報知を行うように、前記報知手段を制御する報知制御手段と、
前記被写体を撮像する撮像手段と、
を備えたことを特徴とする撮像装置。
【請求項２】
前記検知手段は、
被写体が、前記複数の報知項目に対応した状態にあるか否かをそれぞれ検知し、
前記報知手段は、
前記検知手段により被写体が前記状態にあると検知された報知項目について、被写体が前記状態にある旨の報知を行う、
ことを特徴とする請求項１記載の撮像装置。
【請求項３】
前記検知手段は、
複数の指示項目に対応した被写体の状態の度合いをそれぞれ検知し、
前記報知手段は、
前記検知手段により検知された被写体の状態の度合いに応じた報知を行う、
ことを特徴とする請求項１記載の撮像装置。
【請求項４】
前記複数の表示部は、
発光し、
前記報知手段は、
前記検知手段により検知された被写体の状態の度合いに応じた数だけ、前記複数の表示部を発光させることにより報知を行う、
ことを特徴とする請求項３記載の撮像装置。
【請求項５】
前記複数の表示部は、
複数色の光を発光し、
前記報知手段は、
前記検知手段により検知された被写体の状態の度合いに応じた色の光を、前記複数の表示部に発光させることにより報知を行う、
ことを特徴とする請求項３記載の撮像装置。
【請求項６】
前記報知手段は、
表示手段を備え、
前記検知手段により検知された被写体の状態の度合いに応じた文字を、前記表示手段に表示させることにより報知を行う、
ことを特徴とする請求項３記載の撮像装置。
【請求項７】
前記検知手段は、
前記複数の指示項目に対応した被写体の状態である、被写体の動き、被写体の顔の表情、被写体の目の状態、被写体の顔の向き、をそれぞれ検知し、
前記報知手段は、
前記検知手段による検知結果に対応して、被写体の動きの状態を報知するための動き情報、被写体の表情の状態を報知するための表情情報、被写体の目の状態の状態を報知するための目情報、被写体の顔の向きの状態を報知するための顔の向き情報の各情報を報知する、
ことを特徴とする請求項３記載の撮像装置。
【請求項８】
前記複数の表示部は、
発光し、
前記報知手段は、
前記検知手段による検知結果に基づいて、前記複数の表示部を発光させることにより報知を行う、
ことを特徴とする請求項１から７いずれか１項に記載の撮像装置。
【請求項９】
前記複数の表示部は、
前記複数の指示項目に対応した報知内容をそれぞれ示すマークであって、
前記報知手段は、
前記検知手段による検知結果に基づいて、前記被写体に対し、前記マークを点灯させることにより報知する、
ことを特徴とする請求項３記載の撮像装置。
【請求項１０】
前記複数の表示部は、前記撮像手段を構成する撮影レンズの周辺に配置されていることを特徴とする請求項１から９いずれか１項に記載の撮像装置。
【請求項１１】
複数の表示部を備えた撮像装置における撮像方法であって、
複数の報知項目に対応した被写体の状態を検知する検知工程と、
前記検知工程による検知結果に基づいて、前記被写体に対し、前記複数の報知項目の各々に割り当てられた複数の表示部を独立して同時に表示制御して報知を行う報知工程と、
複数の撮影条件の組と複数の報知項目の組とを対応付けて記憶手段に記憶させる記憶工程と、
前記複数の撮影条件の組の中から一の組を設定することで、前記撮影条件の組に対応付けて記憶されている前記報知項目の組を、前記記憶手段から読み出して任意に設定する設定工程と、
前記設定工程により設定された報知項目に対応する報知を行うように、前記報知工程による報知を制御する報知制御工程と、
前記被写体を撮像する撮像工程と、
を含むことを特徴とする撮像方法。
【請求項１２】
複数の表示部を備え、人物を被写体として当該被写体の像を撮像する際に、その被写体に対して撮像に必要な指示を与えることが可能な撮像装置のコンピュータを、
複数の報知項目に対応した被写体の状態を検知する検知機能と、
前記検知機能による検知結果に基づいて、前記被写体に対し、前記複数の報知項目の各々に割り当てられた前記複数の表示部を独立して同時に表示制御して報知を行う報知機能と、
複数の撮影条件の組と複数の報知項目の組とを対応付けて記憶手段に記憶させる記憶機能と、
前記複数の撮影条件の組の中から一の組を設定することで、前記撮影条件の組に対応付けて記憶されている前記報知項目の組を、前記記憶手段から読み出して任意に設定する設定機能と、
前記設定機能により設定された報知項目に対応する報知を行うように、前記報知機能による報知を制御する報知制御機能と、
前記被写体を撮像する撮像機能と、
して実現させるためのプログラム。
【発明の詳細な説明】
【技術分野】
【０００１】
本発明は、撮像装置、撮像方法及びプログラムに関し、詳細には、被写体である人物に対して所要の撮影報知を行うことができる撮像装置、撮像方法及びプログラムに関する。
【背景技術】
【０００２】
一般的に、カメラで人物（以下、被写体）を撮影する場合、被写体に対する指示は、そのカメラの操作者（以下、撮影者）からの音声で行われる。たとえば、フレームに収まるように「もう少し右に寄って」などの発声によって行われるが、静寂を求められる場所でのこのような発声ははばかられるし、そもそも、撮影者がいないとき、すなわち、セルフタイマー撮影やリモコン撮影を行うときには、前記の「指示」それ自体が得られないので、被写体は、正しくフレームに収まっているのどうかを知る術がない。
【０００３】
そこで、下記の特許文献１には、フレーム（構図）内の被写体の位置をカメラ側で検知し、フレーム内の被写体位置が不適正な場合に、それを修正するための指示（報知）をカメラから出すようにした撮像装置が記載されている。
【０００４】
図８は、従来技術の撮像装置を示す図である。この図において、撮像装置１の前面には撮影レンズ２やファインダ３及びストロボ４などが設けられている他、さらに、上下左右の各方向を示す四つの矢印形指示部５〜８が設けられている。
【０００５】
同文献における報知（被写体に対する指示）は、前記の四つの矢印形指示部５〜８によって行われるようになっている。具体的には、被写体がフレーム中心から右寄りに位置している場合は、被写体から見て右方向の矢印形指示部７を点灯させ、または、左寄りに位置している場合は、被写体から見て左方向の矢印形指示部５を点灯させている。あるいは、被写体がフレーム中心にあるものの、小さすぎる場合（つまり、遠方に位置している場合）は、被写体から見て下方向の矢印形指示部６を点灯させ、または、大きすぎる場合（つまり、近くに位置している場合）は、被写体から見て上方向の矢印形指示部８を点灯させるようになっている。
【０００６】
【特許文献１】特開２００５−１６７７８９号公報
【発明の開示】
【発明が解決しようとする課題】
【０００７】
前記のとおりであるから、従来技術によれば、四つの矢印形指示部５〜８により、被写体の適正位置への修正を指示（報知）できるという利点が得られる。しかしながら、被写体に対する報知は「位置」だけでなく、たとえば、低速シャッタ撮影時の被写体ブレ防止のための静止報知や、あるいは、ポートレート撮影時の笑顔報知、顔方向報知、目開け報知など多岐にわたるが、前記の従来技術は、これらの様々な報知にまったく対応できない。
【０００８】
したがって、前記の従来技術は、位置の報知以外については依然として撮影者の発声指示に頼らざるを得ないから、静寂な環境での使用に不都合を来たし、また、撮影者不在の撮影、つまり、セルフタイマー撮影やリモコン撮影を行う場合にも不都合を来すという問題点がある。
【０００９】
そこで、本発明は、被写体に対する所要の撮影報知を過不足なく行うことができる撮像装置、撮像方法及びプログラムを提供することを目的とする。
【課題を解決するための手段】
【００１０】
請求項１記載の発明は、複数の表示部を備え、複数の報知項目に対応した被写体の状態を検知する検知手段と、前記検知手段による検知結果に基づいて、前記被写体に対し、前記複数の報知項目の各々に割り当てられた複数の表示部を独立して同時に表示制御して報知を行う報知手段と、前記複数の撮影条件の組の中から一の組を設定することで、前記撮影条件の組に対応付けて記憶されている前記報知項目の組を、前記記憶手段から読み出して任意に設定する設定手段と、前記設定手段により設定された報知項目に対応する報知を行うように、前記報知手段を制御する報知制御手段と、前記被写体を撮像する撮像手段と、を備えたことを特徴とする撮像装置である。
請求項２記載の発明は、前記検知手段は、被写体が、前記複数の報知項目に対応した状態にあるか否かをそれぞれ検知し、前記報知手段は、前記検知手段により被写体が前記状態にあると検知された報知項目について、被写体が前記状態にある旨の報知を行う、
ことを特徴とする請求項１記載の撮像装置である。
請求項３記載の発明は、前記検知手段は、複数の指示項目に対応した被写体の状態の度合いをそれぞれ検知し、前記報知手段は、前記検知手段により検知された被写体の状態の度合いに応じた報知を行う、ことを特徴とする請求項１記載の撮像装置である。
請求項４記載の発明は、前記複数の表示部は、発光し、前記報知手段は、前記検知手段により検知された被写体の状態の度合いに応じた数だけ、前記複数の表示部を発光させることにより報知を行う、ことを特徴とする請求項３記載の撮像装置である。
請求項５記載の発明は、前記複数の表示部は、複数色の光を発光し、前記報知手段は、前記検知手段により検知された被写体の状態の度合いに応じた色の光を、前記複数の表示部に発光させることにより報知を行う、ことを特徴とする請求項３記載の撮像装置である。
請求項６記載の発明は、前記報知手段は、表示手段を備え、前記検知手段により検知された被写体の状態の度合いに応じた文字を、前記表示手段に表示させることにより報知を行う、ことを特徴とする請求項３記載の撮像装置である。
請求項７記載の発明は、前記検知手段は、前記複数の指示項目に対応した被写体の状態である、被写体の動き、被写体の顔の表情、被写体の目の状態、被写体の顔の向き、をそれぞれ検知し、前記報知手段は、前記検知手段による検知結果に対応して、被写体の動きの状態を報知するための動き情報、被写体の表情の状態を報知するための表情情報、被写体の目の状態の状態を報知するための目情報、被写体の顔の向きの状態を報知するための顔の向き情報の各情報を報知する、ことを特徴とする請求項３記載の撮像装置である。
請求項８記載の発明は、前記複数の表示部は、発光し、前記報知手段は、前記検知手段による検知結果に基づいて、前記複数の表示部を発光させることにより報知を行う、ことを特徴とする請求項１から７いずれか１項に記載の撮像装置である。
請求項９記載の発明は、前記複数の表示部は、前記複数の指示項目に対応した報知内容をそれぞれ示すマークであって、前記報知手段は、前記検知手段による検知結果に基づいて、前記被写体に対し、前記マークを点灯させることにより報知する、ことを特徴とする請求項３に記載の撮像装置である。
請求項１０記載の発明は、前記複数の表示部は、前記撮像手段を構成する撮影レンズの周辺に配置されていることを特徴とする請求項１から９いずれか１項に記載の撮像装置である。
請求項１１記載の発明は、複数の表示部を備えた撮像装置における撮像方法であって、複数の報知項目に対応した被写体の状態を検知する検知工程と、前記検知工程による検知結果に基づいて、前記被写体に対し、前記複数の報知項目の各々に割り当てられた複数の表示部を独立して同時に表示制御して報知を行う報知工程と、前記複数の撮影条件の組の中から一の組を設定することで、前記撮影条件の組に対応付けて記憶されている前記報知項目の組を、前記記憶手段から読み出して任意に設定する設定工程と、前記設定工程により設定された報知項目に対応する報知を行うように、前記報知工程による報知を制御する報知制御工程と、前記被写体を撮像する撮像工程と、を含むことを特徴とする撮像方法である。
請求項１２記載の発明は、複数の表示部を備え、人物を被写体として当該被写体の像を撮像する際に、その被写体に対して撮像に必要な指示を与えることが可能な撮像装置のコンピュータを、複数の報知項目に対応した被写体の状態を検知する検知機能と、前記検知機能による検知結果に基づいて、前記被写体に対し、前記複数の報知項目の各々に割り当てられた前記複数の表示部を独立して同時に表示制御して報知を行う報知機能と、複数の撮影条件の組と複数の報知項目の組とを対応付けて記憶手段に記憶させる記憶機能と、前記複数の撮影条件の組の中から一の組を設定することで、前記撮影条件の組に対応付けて記憶されている前記報知項目の組を、前記記憶手段から読み出して任意に設定する設定機能と、前記設定機能により設定された報知項目に対応する報知を行うように、前記報知機能による報知を制御する報知制御機能と、
前記被写体を撮像する撮像機能と、して実現させるためのプログラムである。
【発明の効果】
【００１１】
本発明によれば、被写体に対する所要の撮影報知を過不足なく行うことができる。
【発明を実施するための最良の形態】
【００１２】
以下、本発明の実施形態を、デジタルカメラへの適用を例にして、図面を参照しながら説明する。
【００１３】
図１は、実施形態に係るデジタルカメラを示す図であり、（ａ）はその外観図、（ｂ）〜（ｄ）はその要部拡大図である。
【００１４】
これらの図において、デジタルカメラ１０の上面にはシャッタボタン１１が設けられ、また、陰に隠れて見えない背面には液晶パネルを用いた構図確認用の表示部（後述の表示部２３）や操作部（後述の操作部２８）などが設けられている。さらに、前面には、撮影レンズ１２や光学ファインダ１３及びストロボ１４などが設けられている他、撮影レンズ１２の回りに複数（ここでは５個）の発光部１５〜１９からなる報知部２０が設けられている。
【００１５】
発光部１５〜１９の報知用途は、予めそれぞれ定められており、特にそれに限定されないが、たとえば、一番上の発光部１５は「静止報知」、上から二番目の発光部１６は「笑顔報知」、中央の発光部１７は「目の開報知」、下から二番目の発光部１８は「顔の向き報知」、一番下の発光部１９は「被写体の位置報知」といった各用途になっている。
【００１６】
これらの発光部１５〜１９は、各々個別に点灯／消灯することができるようになっており、その点灯／消灯により、被写体に対して、撮影に必要な所要の報知情報を可視表示できるようになっている。たとえば、（ｂ）のように一番上の発光部１５だけが点灯（黒丸は点灯、白丸は消灯を表す）した場合は、被写体ブレがあることを示し、この場合、被写体に対する報知は「静止していません」になる。また、（ｃ）のように一番上の発光部１５と二番目の発光部１６だけが点灯した場合は、被写体ブレと笑顔が足りない（または笑顔でない）ことを示し、この場合、被写体に対する報知は「静止していません」と「笑顔になっていません」になる。このように、発光部１５〜１９の個別点灯または組み合わせ点灯により、被写体に対して現在の被写体自身の状態について報知することができる。ちなみに、（ｄ）は全ての発光部１５〜１９が消灯している場合である。この場合、被写体ブレなし、笑顔あり、目の開きよし、顔の向きよし、被写体の位置よしであり、要するに、そのまま撮影しても所望の写真が支障なく得られることを示している。
【００１７】
なお、被写体に対する報知手段は、前記の５個の発光部１５〜１９からなる報知部２０だけでなく、それに加えて、たとえば、冒頭で説明した従来技術のもの（四つの矢印形報知部５〜８）を併設してもよい。
【００１８】
図２は、デジタルカメラ１０の機能ブロックを示す図である。この図において、デジタルカメラ１０は、撮影レンズ１２を介して結像した被写体の像を電気的なフレーム画像に変換する、たとえば、ＣＣＤやＣＭＯＳ等からなる撮像部２１と、撮像部２１から周期的（たとえば、毎秒３０フレーム）に出力されるフレーム画像をフレーム単位に一時的に保持するバッファメモリ２２と、バッファメモリ２２に保持されているフレーム画像を構図確認用のスルー画像として逐次表示したり撮影済み画像を再生表示したりする表示部２３と、撮影済み画像を記録保存する内蔵型または着脱可能型の記憶部２４と、バッファメモリ２２に保存されているフレーム画像に基づいて被写体の状態を検知する検知部２５と、この検知部２５の検知結果に従い、前記の報知手段（５個の発光部１５〜１９からなる報知部２０及び必要であれば四つの矢印形報知部５〜８）の可視表示態様（点灯／消灯）を制御駆動する報知駆動部２６とを備える。そして、これらの各部の動作を統括制御する、たとえば、マイクロプロセッサ等のコンピュータで構成された制御部２７と、シャッタボタン１１を含む各種操作ボタンにより構成された操作部２８と、各部に電源を供給する一次電池または二次電池からなる電源部２９とを備える。
【００１９】
また、制御部２７に実装された不揮発性メモリ２７ａには、制御部２７が各種処理を実行するためのプログラムが記憶されている。制御部２７は、各種処理の実行時に、記憶部２４から前記プログラムを読み出す。そして、制御部２７は、読み出した前記プログラムとの協働により、本発明における、第一の設定手段、報知制御手段、第二の設定手段、として機能する。
【００２０】
ここで、検知部２５は、被写体がブレているか否かを検知し、また被写体のブレの度合いを検知する被写体ブレ検知部２５ａと、被写体が笑顔か否かを検知し、また笑顔の度合いを検知する笑顔検知部２５ｂと、被写体の目の状態（閉じているか開いているかや、目の開き度合い）を検知する目の状態検知部２５ｃと、被写体の顔の向き（正面を向いているか横を向いているかや、正面に対しどれ位の角度でずれて横を向いているか等）を検知する顔の向き検知部２５ｄと、被写体の位置（左右への偏り、偏りの度合いや前後位置等）を検知する被写体の位置検知部２５ｅを含む。
【００２１】
なお、被写体ブレの検知原理は、たとえば、特開平１０−１７１００５号公報に記載されており、また、笑顔や目の状態、顔の向きの検知原理は、たとえば、特開２００７−９４５３５号公報に記載されており、さらに、被写体の位置検知の原理も、たとえば、特開２００５−１６７７８９号公報に記載されており、いずれも公知技術であるので、ここでは、その詳細に言及しない。
【００２２】
このような構成において、デジタルカメラ１０を、たとえば、三脚にセットしてユーザ自身をセルフタイマー撮影することを考える。このとき、デジタルカメラ１０の構成要素のうちの実施形態特有の部分、つまり、検知部２５や報知駆動部２６及び報知部２０を無視した場合、デジタルカメラ１０は、セルフタイマーの時間経過に伴い、撮像部２１からのフレーム画像を撮影画像として記憶部２４に記録保存する。このとき、たとえば、低速シャッタ撮影が行われた場合は被写体の動きに起因するブレが生じた画像が記録されることになる。あるいは、笑顔でないまたは笑顔が足りない画像が記録されることもあり得るし、横向き等の顔の向きが好ましくない画像が記録されることもあり得る。さらには、冒頭で説明したようにフレーム内の被写体位置が不適切な画像が記録されることもあり得る。これらはいずれも、自分自身をセルフタイマー撮影する際、撮影後でなければ確認できないことを意味するので、所望の写真が得られるまでは、何度も撮影をやり直さなければならないという面倒がある。
【００２３】
これに対して、検知部２５や報知駆動部２６及び報知部２０を有する本実施形態のデジタルカメラ１０では、かかる不都合を生じない。すなわち、ユーザ自身を撮影する場合であっても、報知部２０の点灯／消灯といった可視化報知に従うだけで、被写体ブレや笑顔、目の状態、顔の向き、被写体の位置のいずれも満足することができ、それ故、所望の写真を一回の撮影で得ることができるという格別の効果が得られるのである。
【００２４】
なお、本願の技術は、以上の実施形態に限定されず、その思想の範囲内において様々な変形例や発展例を包含することはもちろんであり、たとえば、次のようにしてもよい。
【００２５】
図３は、第一の変形例を示す図である。この図に示すように、５個の発光部１５〜１９からなる報知部２０は、笑顔検知部２５ｂによって検知された笑顔の度合いを、その点灯数で表すようになっていてもよい。たとえば、左端は笑顔の度合いが最低（ほとんど笑っていない）の場合を示しており、この場合、点灯数が１個（一番下の発光部１９しか点灯していない）となっているが、笑顔の度合いが高まるにつれて点灯数が２個、３個、４個、５個と増加するようになっていてもよい。このようにすると、被写体は、発光部１５〜１９の点灯数を見ながら表情を工夫するだけで、容易に所望の度合いの笑顔を意識的に作り出すことができるようになる。
【００２６】
図４は、第二の変形例を示す図である。以上の実施形態では、５個の発光部１５〜１９からなる報知部２０によって被写体に対する報知を行うようにしているが、その報知は単に「点灯」と「消灯」でしかなく、被写体に報知内容が伝わりにくいという欠点を指摘できる。この第二の変形例は、かかる欠点に対処するものであり、要するに、報知内容を端的に表現したマークを表示するようにしたものである。たとえば、この図において、笑顔マーク３０、目状態マーク３１、顔向きマーク３２、被写体ブレマーク３３を用いるようにしたものである。これらのマーク３０〜３３は、前記の実施形態の５個の発光部１５〜１９と併設してもよいし、それらの代わりに用いてもよい。
【００２７】
加えて、これらのマーク３０〜３３の点灯色や点滅パターンを変えることによって、それらのマークの意味の度合いを表現してもよい。たとえば、笑顔検知部２５ｂによって検知された笑顔の度合いを、笑顔マーク３０の色を、赤色、黄色、緑色と変化させるようにして表してもよい。一般的に赤色は否定的意味合いを、緑色は肯定的意味合いを、また、黄色はその中間的意味合いを持つと解釈されるので、この場合、赤色点灯は笑顔が足りない、緑色点灯は笑顔である、黄色点灯はその中間の笑顔（微笑み）である、と直感的に把握することができ、被写体に報知内容が伝わりにくいという欠点を解消できる。
【００２８】
図５は、第三の変形例を示す図である。この変形例は、「被写体に報知内容が伝わりにくいという欠点」を解消するために、その報知内容を“文字”で伝えるようにしたものである。具体的には、デジタルカメラ１０の前面に、横長矩形状の表示パネル３４を配置し、この表示パネル３４に所要の文字列（ここでは笑顔を促す“はいチーズ！”）を単純表示またはスクロール表示したものである。このようにすれば、被写体は、その文字列を読むことによって、どのようにすればよいかを間違いなく知ることができる。たとえば、“はいチーズ！”であれば、即座に「笑顔」を作ってシャッタータイミングを待つことができ、所望の写真を確実に得ることができる。また、例えば、笑顔検知部２５ｂによって検知された笑顔の度合いに応じて、互いに異なるメッセージを表示パネル３４に表示させてもよい。例えば、笑顔検知部２５ｂによって検知された笑顔の度合いが中程度であれば、「“少し、笑顔が足りません”」と表示する。このようにしても、被写体は、その文字列を読むことによって、どのようにすればよいかを間違いなく知ることができ、所望の写真を確実に得ることができる。
【００２９】
なお、上記の文字列（“はいチーズ！”や“少し、笑顔が足りません”）は、あくまでも一例に過ぎない。撮影条件に応じた適切な文字列を表示すればよいことは当然である。撮影条件に対応した適切な文字列を表示するためには、たとえば、「ベストショット」とも称される撮影シーン選択機能を利用することができる。撮影シーン選択機能とは、予め様々な撮影シーン（ポートレート撮影、夜景撮影、風景撮影・・・・）を想定して、それらのシーンに応じた最適撮影条件をテーブルで保持しておき、撮影者によって任意のシーンが選択された場合にテーブルから、その選択シーンに応じた最適撮影条件を読み出してカメラにセットするという撮影補助機能のことである。
【００３０】
図６は、撮影シーン選択機能に用いられる最適撮影条件テーブルの概念図である。この最適撮影条件テーブル３５は、制御部２７に実装された不揮発性メモリ２７ａに予め書き込まれたものであり、撮影シーン（ポートレート撮影、夜景撮影、風景撮影・・・・）の名称を格納するシーン名フィールド３５ａと、それらのシーンに応じた最適撮影条件（シャッタ速度や絞り及びストロボの有無等）を格納する撮影条件フィールド３５ｂとを有するほか、さらに、各シーンごとの被写体に対する指示メッセージを格納するメッセージフィールド３５ｃを有する。
【００３１】
たとえば、図示の例では、ポートレート撮影シーンに“はいチーズ！”、夜景撮影シーンに“動かないでください”というメッセージが格納されている。前者のメッセージはポートレート撮影の場合に笑顔が欠かせないからであり、また、後者のメッセージは夜景撮影の場合に低速シャッタによって被写体ブレのおそれがあり、被写体の動きを止める必要があるからである。このように、撮影シーンに対応した適切で且つ分かりやすいメッセージを格納しておけばよい。
【００３２】
図７は、撮影シーン選択機能を用いた場合の動作フローを示す図である。なお、このフローは、記憶部２４に記憶されている前記プログラムと、図２の制御部２７との協働により周期的に実行される。このフローでは、まず、撮像部２１から取り出されたフレーム画像を構図確認用のスルー画像として表示部２３に出力し（ステップＳ１）、ユーザによるベストショットシーンの設定指示有無を判定する（ステップＳ２）。ベストショットシーンの設定指示がある場合は、ベストショットシーンの選択画面を表示部２３に表示する（ステップＳ３）。ここで、ベストショットシーンの選択画面とは、図６に示した最適撮影条件テーブル３５のシーン名フィールド３５ａの格納情報をリスト表示し、そのうちの一つのシーン名を選択可能にした画面である。
【００３３】
ベストショットシーンの選択を検知（ステップＳ４のＹＥＳ）すると、次いで、選択されたベストショット項目（シーン名）に対応する報知項目（被写体に対する報知項目であって、たとえば、ポートレート撮影であれば「笑顔」、夜景撮影であれば「静止」である。）を設定する（ステップＳ５）。
【００３４】
一方、ベストショットシーンの設定指示がない場合（ステップＳ２のＮＯ）は、次いで、報知項目の選択画面を表示部２３に表示する（ステップＳ６）。ここで、報知項目の選択画面とは、たとえば、「笑顔」、「静止」、「位置」といった被写体に対して行うべき報知項目を選択可能にした画面である。
【００３５】
報知項目の選択を検知（ステップＳ７のＹＥＳ）すると、次いで、選択された報知を設定する（ステップＳ８）。
【００３６】
次に、検知部２５を用いて被写体の状態を検知する（ステップＳ９）と共に、カメラの状態を検知する（ステップＳ１０）。次に、被写体状態の検知結果に基づいて、設定された報知項目に対応した表示部（図２の表示部１５〜１９）を点灯する（ステップＳ１１）と共に、報知項目に対応したマーク３０〜３３を表示部２３に表示し（ステップＳ１２）、撮影指示（シャッタレリーズまたはセルフタイマーの時間経過若しくはリモコン操作）を検知（ステップＳ１３のＹＥＳ）すると、そのときに撮像部２１から取り出されたフレーム画像を圧縮処理する等して記憶部２４に記憶（ステップＳ１４）してからフローを終了する。
【００３７】
以上、説明したとおり、本実施形態によれば、立ち位置の修正はもちろんのこと、被写体ブレのおそれがある場合の静止報知、ポートレート撮影の場合の目の開き、笑顔、顔の向きといった被写体に対する様々な報知を与えることができるので、とりわけ、ユーザ自身を被写体として撮影する場合に、撮り直しを行うことなく、容易に所望の写真、たとえば、良好な立ち位置、被写体ブレなし、笑顔、目の開きや顔の向きも良好な写真を１回の撮影で容易に得ることができるという格別の効果が得られる。
【００３８】
また、表示部１５〜１９の単なる点灯／消灯という表示形態ではなく、報知内容を表現したマーク３０〜３３を用いるようにすれば、その報知内容を分かりやすく被写体に伝えることができる。あるいは、表示パネル３４を用いて文字情報を表示するようにすれば、報知内容の伝達をより確実に分かりやすく行うことができる。また、表示部２３に、マーク３０〜３３を表示させたので、セルフタイマー撮影以外の通常の撮影時において、デジタルカメラ１０を構えるユーザも、被写体の状態を確認できる。
【００３９】
また、撮影シーン選択機能（ベストショット）と併用すれば、各シーンに対応した適切な報知項目（たとえば、夜景撮影シーンでは低速シャッタになるので被写体ブレのおそれが高いから、適切な報知項目は被写体の「静止」になる。）を選択して被写体に指示することができる。
【００４０】
なお、以上の説明では、デジタルカメラ１０への適用を例にしたが、これに限定されない。撮影機能付きの電子機器であればよく、たとえば、カメラ付き携帯電話機、カメラ付き情報端末、カメラ付きゲーム機などいずれであってもよい。  
【００４１】
また、以上の説明では、デジタルカメラ１０によりユーザ自身をセルフタイマー撮影することを前提とした。しかし、ユーザ以外の被写体を、デジタルカメラ１０により撮影してもよいことはいうまでも無い。この場合であっても、ユーザ以外の被写体が報知部２０の点灯／消灯等の可視化報知に従うだけで、被写体ブレや笑顔、目の状態、顔の向き、被写体の位置のいずれも満足することができ、それ故、所望の写真を一回の撮影で得ることができる。
【図面の簡単な説明】
【００４２】
【図１】実施形態に係るデジタルカメラを示す図であり、（ａ）はその外観図、（ｂ）〜（ｄ）はその要部拡大図である。
【図２】デジタルカメラ１０の機能ブロックを示す図である。
【図３】第一の変形例を示す図である。
【図４】第二の変形例を示す図である。
【図５】第三の変形例を示す図である。
【図６】シーン選択機能に用いられる最適撮影条件テーブルの概念図である。
【図７】撮影シーン選択機能を用いた場合の動作フローを示す図である。
【図８】従来技術の撮像装置を示す図である。
【符号の説明】
【００４３】
Ｓ４  ステップ（第二の設定手段）
Ｓ５  ステップ（第一の設定手段）
Ｓ８  ステップ（第一の設定手段）
Ｓ１１  ステップ（報知制御手段）
１０  デジタルカメラ（撮像装置）
２０  報知部（報知手段）
２５  検知部（検知手段）
２６  報知駆動部（報知手段）
２７  制御部（報知制御手段）
３５  最適撮影条件テーブル（記憶手段）
【図１】
0005493284.tif 000002
【図２】
0005493284.tif 000003
【図３】
0005493284.tif 000004
【図４】
0005493284.tif 000005
【図５】
0005493284.tif 000006
【図６】
0005493284.tif 000007
【図７】
0005493284.tif 000008
【図８】
0005493284.tif 000009